(57)【要約】      （修正有）【課題】耐震性や耐暴風性、耐強風性に優れた棟金具および棟金具を備えた棟構造を提供する。【解決手段】棟金具１は、台座１０と支持金具２０とを有する。台座１０は、屋根の棟部に固定される２つの脚部１２と、棟部に対する固定時における略上下方向に形成された貫通孔１７を有し脚部１２と連続して形成された支持部１３と、を有する。支持金具２０は、貫通孔１７を通り台座１０に設置された際に棟部に設けられる棟木に刺さる長さを有する釘部２１と、釘部２１の基部に設けられ棟瓦を固定するための垂木を支持する垂木受部２３と、を有する。【選択図】図１
0003179292.tif 000002
【実用新案登録請求の範囲】
【請求項１】
屋根の棟部に固定される少なくとも２つの脚部と、前記棟部に対する固定時における略上下方向に形成された貫通孔を有し前記脚部と連続して形成された支持部と、を有する台座と、
前記貫通孔を通り前記台座に設置された際に前記棟部に設けられる棟木に刺さる長さを有する釘部と、前記釘部の基部に設けられ棟瓦を固定するための垂木を支持する垂木受部と、を有する支持金具と、
を備えたことを特徴とする棟金具。
【請求項２】
前記貫通孔は、前記略上下方向に一定の長さを有する請求項１記載の棟金具。
【請求項３】
前記台座は、前記台座、前記棟部および前記支持金具とで形成される空間にシーリング材を充填するための開口を有する請求項１または２記載の棟金具。
【請求項４】
前記台座は、前記脚部と前記支持部との境界に前記開口を有する請求項３記載の棟金具。
【請求項５】
前記台座は、２枚の薄板により逆Ｙ字形に形成された請求項１〜４のいずれか一項記載の棟金具。
【請求項６】
前記台座は、一方の薄板にバーリング加工により形成されたバーリング部を、他方の薄板にかしめることにより結合された請求項５記載の棟金具。
【請求項７】
屋根の棟部を構成する野地板、棟木、棟瓦、および前記棟瓦を固定するための垂木と、
前記野地板に固定された少なくとも２つの脚部と、略上下方向に形成された貫通孔を有し前記脚部と連続して形成された支持部と、を有する台座と、
前記貫通孔を通り前記台座に設置され棟木に刺さる長さを有する釘部と、前記釘部の基部に設けられ前記垂木を支持する垂木受部と、を有する支持金具と、
を備えたことを特徴とする棟金具を備えた棟構造。
【考案の詳細な説明】
【技術分野】
【０００１】
本考案は、瓦屋根の棟部に棟瓦を設置するために利用される垂木を支持する棟金具および棟金具を用いた棟構造に関する。
【背景技術】
【０００２】
今日知られている瓦屋根用の棟金具には、いくつかの種類がある。例えば、特許文献１には、棟木を支持する棟木受け体と、先端にネジ部を設けたネジ体とを有する棟木支持具が開示されている。ネジ体は、棟に設置された梁などにねじ込んで固定される。
【先行技術文献】
【特許文献】
【０００３】
【特許文献１】特開２００９−８４９７１号公報
【考案の概要】
【考案が解決しようとする課題】
【０００４】
特許文献１の棟木支持具は、屋根構造物に対してはネジ体の１点のみで支持されるものであった。このため、棟瓦に対する耐震や耐暴風・耐強風の観点から、この棟木支持具は、十分な信頼性を備えていなかった。
【０００５】
本考案はこのような事情を考慮してなされたもので、耐震性や耐暴風性、耐強風性に優れた棟金具および棟金具を備えた棟構造を提供することを目的とする。
【課題を解決するための手段】
【０００６】
本考案に係る棟金具は、上述した課題を解決するために、屋根の棟部に固定される少なくとも２つの脚部と、前記棟部に対する固定時における略上下方向に形成された貫通孔を有し前記脚部と連続して形成された支持部と、を有する台座と、前記貫通孔を通り前記台座に設置された際に前記棟部に設けられる棟木に刺さる長さを有する釘部と、前記釘部の基部に設けられ棟瓦を固定するための垂木を支持する垂木受部と、を有する支持金具と、を備えたことを特徴とする。
【０００７】
また、本考案に係る棟金具を備えた棟構造は、屋根の棟部を構成する野地板、棟木、棟瓦、および前記棟瓦を固定するための垂木と、前記野地板に固定された少なくとも２つの脚部と、略上下方向に形成された貫通孔を有し前記脚部と連続して形成された支持部と、を有する台座と、前記貫通孔を通り前記台座に設置され棟木に刺さる長さを有する釘部と、前記釘部の基部に設けられ前記垂木を支持する垂木受部と、を有する支持金具と、を備えたことを特徴とする。
【考案の効果】
【０００８】
本考案に係る棟金具および棟金具を備えた棟構造においては、耐震性や耐暴風性、耐強風性を好適に得ることができる。
【図面の簡単な説明】
【０００９】
【図１】本実施形態における棟金具の斜視図。
【図２】棟金具の台座を特に示す斜視図。
【図３】棟金具の支持金具を特に示す斜視図。
【図４】屋根の棟部に設置された棟金具を主に示す概略的な斜視図。
【図５】屋根の棟構造を説明するための部分断面図。
【考案を実施するための形態】
【００１０】
本考案に係る棟金具および棟金具を備えた棟構造の一実施形態を添付図面に基づいて説明する。
【００１１】
図１は、本実施形態における棟金具１の斜視図である。
【００１２】
図２は、棟金具１の台座１０を特に示す斜視図である。
【００１３】
図３は、棟金具１の支持金具２０を特に示す斜視図である。
【００１４】
棟金具１は、台座１０および支持金具２０からなる。
【００１５】
図１および２に示すように、台座１０は、２つの脚部１２と、脚部１２と連続して形成される支持部１３とを有する。台座１０は、結合された２枚の薄板１４ａ、１４ｂにより逆Ｙ字形に形成される。これら薄板１４ａ、１４ｂは、支持部１３において結合される。台座１０は、例えば、一方の薄板１４ａの支持部１３においてバーリング加工により形成されたバーリング部１５を、他方の薄板１４ｂの支持部１３に形成された孔を介してかしめることにより結合される。これらの孔は、他方の薄板１４ｂにおける、一方の薄板１４ａにおけるバーリング部１５の位置に対応する位置に形成される。
【００１６】
脚部１２は、屋根の棟部に固定される部分である。このため、脚部１２は、台座１０を棟部に固定するための固定具が挿入される固定孔１６を有する。なお、脚部１２は、少なくとも２つであればよく、３つ以上であってもよい。支持部１３は、棟部に対する固定時における略上下方向に形成された貫通孔１７を有する。貫通孔１７は、略上下方向に一定の長さを有する。図１および２においては、各薄板１４ａ、１４ｂ（支持部１３）の面長手方向中心部には、半円を形成する凸部１８が設けられる。これら凸部１８が結合されることにより、貫通孔１７は面長手方向に亘って略円形に形成される。貫通孔１７は、棟金具１の釘部２１よりも大きい寸法となるように形成される。
【００１７】
台座１０は、各薄板１４ａ、１４ｂに開口２２（図１および２においては薄板１４ａ側のみ図示。）を有する。開口２２は、棟金具１が棟部に固定される際に、台座１０、棟部および支持金具２０とで形成される空間にシーリング材を充填するために設けられる。開口２２は、例えば脚部１２と支持部１３との境界に設けられることにより、シーリング材を好適に充填することができる。
【００１８】
図１および３に示すように、支持金具２０は、釘部２１と、垂木受部２３とを有する。釘部２１は、所要の長さを有する釘である。釘部２１は、台座１０の貫通孔１７を通り台座１０に設置された際に、棟部に設けられる棟木に刺さることができる程度の長さを有する釘である。垂木受部２３は、釘部２１の基部に設けられる。垂木受部２３は、棟瓦を固定するための垂木を支持する。垂木受部２３は、例えば垂木の荷重を受ける底部２５と、垂木を水平方向に支持する壁面部２６とを有する。壁面部２６には、垂木受部２３に支持される垂木を固定するための、固定孔２６ａを所要数有する。釘部２１は、この底部２５の中心において結合される。
【００１９】
次に、本実施形態における棟金具１を用いた屋根の棟構造について説明する。
【００２０】
図４は、屋根３１の棟部３２に設置された棟金具１を主に示す概略的な斜視図である。
【００２１】
図５は、屋根３１の棟構造を説明するための部分断面図である。
【００２２】
図４に示すように、棟金具１は、棟部３２において棟木３３の長さ方向に沿って複数箇所に配置される。
【００２３】
図５に示すように、屋根３１の棟部３２は、野地板３４および棟木３３を主に有する。また、野地板３４上には、瓦桟３５を介して桟瓦３６が配置される。棟金具１の台座１０は、棟部３２の頂部に沿って、野地板３４の上方および瓦桟３５の下方に設置される。棟金具１は、固定孔１６を介して釘やビスなどの固定具３７により、野地板３４に固定される。
【００２４】
台座３４が固定された後、台座１０および野地板３４（棟部３２）で形成される空間がシールされる。具体的には、台座１０の開口２２から、シーリング材が充填される。シーリング材（コーキング材）は、例えばシリコーンなどの防水性、気密性などを有する材料からなる。シーリング材は、後の工程において釘部２１により野地板３４を貫通する際に形成される穴４３をシールすることができる。このため、棟金具１を野地板３４に刺すことにより必然的に形成される穴４３に雨水などが浸入することがなく、この結果、家屋の雨漏りを防止することができる。なお、良好なシール性を得る観点から、穴４３のシールは、支持金具２０が台座１０の貫通孔１７に挿入される直前に行われるのが好ましい。
【００２５】
台座１０の貫通孔１７には、支持金具２０が挿入される。支持金具２０の釘部２１は、棟木３３に刺さる長さを有するため、釘部２１の先端は野地板３４を貫通し、棟木３３に刺さる。このとき、台座１０の貫通孔１７が支持部１３の面長手方向に沿って一定の長さを有するため、釘部２１は支持部１３にガイドされてまっすぐに野地板３４および棟木３３に刺さることができる。
【００２６】
桟瓦３６の上方には、熨斗瓦３８が積層される。図５においては、銅線３９で接続された一対の熨斗瓦３８が３層積層される。桟瓦３６と熨斗瓦３８との間隙には、充填材としての面戸材４０が盛りつけられる。
【００２７】
支持金具２０の垂木受部２３は、垂木４１を支持する。このとき、図４に示す複数の棟金具１間では、高さや方向を揃える必要がある。これに対し、支持金具２０は、台座１０に対して別体であるため、高さ方向を容易に調整することができる。支持金具２０の高さ調整については、釘部２１の基部近傍に、目盛を形成しておくことが好ましい。作業者は、この目盛を目安に、目盛と台座１０の最上部、または貫通孔１７との距離を確認することにより、支持金具２０の挿入深さを判断することができる。
【００２８】
支持金具２０は、台座１０の貫通孔１７に対して連結されてはいないため、垂木４１を配置した後であっても、棟木３３に対してハンマーなどで打ち付けることで、適切に調整することができる。例えば、支持金具２０の設置面となる棟部が凹凸を有していたり、傾斜していたりする場合、各台座１０の設置面が互いに異なることになる。このような場合であっても、支持金具２０をハンマーなどで打ち付け調整することにより、各棟金具１の垂木受部２３の高さを揃えることができる。このとき、支持金具２０を引き抜く調整は行わないことが好ましい。支持金具２０を引き抜くことで、貫通した野地板３４の穴４３などが緩んでしまい、雨漏りなどの止水性の観点、および耐震、耐強風性が損なわれるため好ましくないためである。
【００２９】
垂木４１の上方には、棟瓦４４が設置されることにより、屋根３１の棟構造が形成される。
【００３０】
このような本実施形態における棟金具１およびこの棟金具１を備えた棟構造は、台座１０の２つの脚部１２が、固定具３７により野地板３４に固定される。また、支持金具２０の釘部２１により野地板３４および棟木３３に固定される。すなわち、本実施形態における棟金具１は、野地板３４などに対して３点で支持される。よって、棟金具１は、地震や暴風、強風に起因する揺れに対しても、垂木４１および棟瓦４４を強固に支持することができる。
【００３１】
また、台座１０は、シーリング材を充填するための開口２２を備えるため、棟金具１設置箇所に必要となるシーリングを容易に行うことができ、屋根３１からの雨漏りを好適に防止することができる。
【００３２】
さらに、台座１０の２枚の薄板１４ａ、１４ｂは、一方の薄板１４ａに形成されたバーリング部１５を他方の薄板１４ｂに形成された孔にかしめることにより、結合される。これにより、バーリング部１５および孔が形成される位置の精度が得られれば、２枚の薄板１４ａ、１４ｂを結合すると同時に支持部１３に形成され凸部１８が正確な位置で組み合わされる。よって、一対の凸部１８がずれてしまい、略真円からなる貫通孔１７が形成されないという事態を抑制することができ、製造時における歩留まりを向上させることができる。例えば、溶接により２枚の薄板１４ａ、１４ｂを結合した場合、一対の凸部１８が正確な位置で組み合わされるように注意を払いながら溶接必要がある。これに対し、２枚の薄板１４ａ、１４ｂを上記のように結合することにより、溶接に比べて結合作業を容易に行うことができる。
【００３３】
支持金具２０は、台座１０と別体になっているため、台座１０に設置後も高さや方向を容易に調節することができる点においても、本実施形態における棟金具１は有効である。
【００３４】
なお、本実施形態における棟金具１の変形例として、台座１０は溶接、かしめ鋲を用いるなど他の方法によりにより結合されてもよい。
【００３５】
また、台座１０の支持部１３は、少なくとも支持金具２０の釘部２１が貫通する貫通孔１７を備えていればよく、支持部１３を形成する２枚の薄板１４ａ、１４ｂが全体に亘って面接触していなくてもよい。
【符号の説明】
【００３６】
１  棟金具
１０  台座
１２  脚部
１３  支持部
１４ａ、１４ｂ  薄板
１５  バーリング部
１７  貫通孔
２０  支持金具
２１  釘部
２２  開口
２３  垂木受部
３４  野地板
【図１】
0003179292.tif 000003
【図２】
0003179292.tif 000004
【図３】
0003179292.tif 000005
【図５】
0003179292.tif 000006
【図４】
0003179292.tif 000007